(57)【特許請求の範囲】
【請求項１】
ベッド枠体と、この枠体上に配置された床板と、この床板を起倒させるための伸縮自在なアクチュエータとを備えたベッドにおいて、前記床板は頭部当て板、背部当て板、臀部当て板、上脚部当て板および下脚部当て板をそれぞれ互いに隣接する端部で折り曲げ自在に連結することにより構成され、前記アクチュエータは頭上用アクチュエータと、脚上用アクチュエータとからなり、前記頭上用アクチュエータは一端が頭部当て板から伸長されたプッシュロッドおよび背部当て板から伸長されたアームとそれぞれ回動自在に連結されるとともに、他端がベッド枠体に回動自在に固定され、前記背部当て板は臀部当て板に隣接する側の付近でリンクＡを介してベッド枠体と連結され、前記臀部当て板は前記背部当て板に隣接する側の付近でブラケットを介して前記リンクＡと連結されるとともに、上脚部当て板に隣接する側の付近ないしは上脚部当て板との連結部でリンクＢを介してベッド枠体と連結され、前記上脚部当て板は一端がベッド枠体に回動自在に固定された、二本のアームからなる連結リンクと連結され、前記脚上用アクチュエータは先端部分にガイド板を有し、このガイド板には長穴が穿設され、この長穴に前記連結リンクの連結部分を嵌め込むことにより連結リンクと連結されるとともに、プルステーを介してリンクＡと連結され、他端がベッド枠体に回動自在に連結されてなり、前記頭上用アクチュエータを伸長することにより、頭部当て板を起上し、次いで背部当て板を起上し、さらに臀部当て板の背部当て板に隣接する側を下げ、上脚部当て板に隣接する側を上げるとともに、上脚部当て板と下脚部当て板の連結部を山型に盛り上げて床板を起上し、前記脚上用アクチュエータを伸長することにより、上脚部当て板と下脚部当て板の連結部の山型盛り上げ操作を助長し、前記二つのアクチュエータを収縮することにより床板を下降することを特徴とする床板の起倒自在なベッド。
【発明の詳細な説明】
【０００１】
【発明の属する技術分野】
本発明は床板の起倒自在なベッドに係り、特に、ベッド上の患者、寝たきり老人等の横臥者を起上する際に、頭部から順次に、自然体を保ちながらゆっくりと起上させることができ、横臥者の起き上がるときの負担を軽減して筋肉の浪費や不快感、不安感等を取り除き得る、特に、医療用ないしは介護用として適した床板の起倒自在なベッドに関する。
【０００２】
【従来の技術】
ベッドは通常、ベッド枠体の上に床板を配置し、この上にマットレスを載せることにより構成される。特に、医療用ないしは介護用ベッドとしては、床板を３乃至５個に分割し、これらをアクチュエータにより頭部から順次に起上せしめる形式の床板の起倒自在なベッドが用いられている。
【０００３】
この種の医療用ないしは介護用ベッドとして、従来、例えば図７に示されるように、床板が４個に分割されたものが用いられている。
【０００４】
図７において、指示番号１00はベッドの床板であって、背当て板１01、臀部当て板１02、上脚部当て板１03、下脚部当て板１04の４部分に分割され、これらは互いに折り曲げ自在に連結されている。
【０００５】
そして、ベッド上の横臥者が起上する際には、図示しないアクチュエータの作動により、床板１00の背当て板１01が起き上げられるとともに、上脚部当て板１03と、下脚部当て板１04との連結部が山型に盛り上げられ、これによりベッド上の横臥者は起上され、背当て板１01の起上につれて体重が臀部当て板22に集中する。
【０００６】
【発明が解決しようとする課題】
しかし、この種の床板１00では、臀部当て板１02は作動せずに水平に固定されたままである。座角が水平であると、横臥者は「前ずれ現象」を起こしてすべり出し姿勢となり、このすべり出し姿勢を立て直そうとするため、起き上がる際に負担がかかり、筋肉の浪費や不快感、不安感等を起こす。
【０００７】
そこで、本発明の目的はベッド上の横臥者を起上する際に、頭部から順次に、自然体を保ちながら、ゆっくりと起上させることができ、横臥者の起き上がるときの負担を軽減して筋肉の浪費や不快感、不安感を取り除き、上述の公知技術に存する欠点を改良した、特に医療用ないしは介護用として適した床板の起倒自在なベッドを提供することにある。
【０００８】
【課題を解決するための手段】
上述の目的を達成するため、本発明によれば、ベッド枠体と、この枠体上に配置された床板と、この床板を起倒させるための伸縮自在なアクチュエータとを備えたベッドにおいて、前記床板は頭部当て板、背部当て板、臀部当て板、上脚部当て板および下脚部当て板をそれぞれ互いに隣接する端部で折り曲げ自在に連結することにより構成され、前記アクチュエータは頭上用アクチュエータと、脚上用アクチュエータとからなり、前記頭上用アクチュエータは一端が頭部当て板から伸長されたプッシュロードおよび背部当て板から伸長されたアームとそれぞれ回動自在に連結されるとともに、他端がベッド枠体に回動自在に固定され、前記背部当て板は臀部当て板に隣接する側の付近でリンクＡを介してベッド枠体と連結され、前記臀部当て板は前記背部当て板に隣接する側の付近でブラケットを介して前記リンクＡと連結されるとともに、上脚部当て板に隣接する側の付近ないしは上脚部当て板との連結部でリンクＢを介してベッド枠体と連結され、前記上脚部当て板は一端がベッド枠体に回動自在に固定された、二本のアームからなる連結リンクと連結され、前記脚上用アクチュエータは先端部分にガイド板を有し、このガイド板には長穴が穿設され、この長穴に前記連結リンクの連結部分を嵌め込むことにより連結リンクと連結されるとともに、プルステーを介してリンクＡと連結され、他端がベッド枠体に回動自在に連結されてなり、前記頭上用アクチュエータを伸長することにより、頭部当て板を起上し、次いで背部当て板を起上し、さらに臀部当て板の背部当て板に隣接する側を下げ、上脚部当て板に隣接する側を上げるとともに、上脚部当て板と下脚部当て板の連結部を山型に盛り上げて床板を起上し、前記脚上用アクチュエータを伸長することにより、上脚部当て板と下脚部当て板の連結部の山型盛り上げ操作を助長し、前記二つのアクチュエータを収縮することにより床板を下降することを特徴とする。
【０００９】
【発明の実施の形態】
以下、本発明を添付図面を用いて具体的に詳述する。
【００１０】
図１は本発明にかかるベッドの一具体例の側面図であり、図２は図１にかかるベッドの頭上用アクチュエータを作動させて頭部当て板を起上させた状態の側面図であり、図３は図１にかかるベッドの頭上用アクチュエータをさらに作動させて頭部当て板と背部当て板の両方を起上させ、かつ上脚部当て板と下脚部当て板の連結部をやや山型に盛り上げた状態の側面図であり、図４は図１にかかるベッドの起上を完了した状態の側面図であり、図５は図１にかかるベッドの脚上用アクチュエータと頭上用アクチュエータの両方を作動させて起上を完了した状態の側面図であり、図６は本発明ベッドの機能を表した説明図であり、図７は従来のベッドの機能を表した説明図である。
【００１１】
本発明にかかるベッドは図１〜図５に示されるように、ベッド枠体１と、この枠体１上に配置された床板２と、この床板２を起倒させるための伸縮自在な頭上用アクチュエータ３および脚上用アクチュエータ４とを備えて構成され、通常、この床板２上にはマットレス５が載置され、マットレス５上には患者、寝たきり老人等、看護ないしは介護の必要な横臥者６が就寝する。
【００１２】
床板２は頭部当て板７、背部当て板８、臀部当て板９、上脚部当て板10、および下脚部当て板11の５部分に分割され、これらを例えば、ヒンジ12、13、14、15によってそれぞれ互いに隣接する端部で折り曲げ自在に連結して構成される。
【００１３】
頭上用アクチュエータ３は例えば伸縮自在な油圧シリンダであり、一端３ａが頭部当て板７の裏面から伸長されたプッシュロッド16および背部当て板８から伸長されたアーム17とそれぞれ回動自在に連結されるとともに、他端３ｂがベッド枠体１に回動自在に固定される。
【００１４】
背部当て板８は臀部当て板９に隣接する側の付近でリンクＡ18を介してベッド枠体１と連結される。このとき、リンクＡ18の連結はもちろん、回動自在に行われる。
【００１５】
臀部当て板９は背部当て板８に隣接する側の付近でブラケット19を介してリンクＡ18のほぼ中央部と連結され、かつ上脚部当て板10に隣接する側の付近、あるいは上脚部当て板10との連結部でリンクＢ20を介してベッド枠体１と連結される。リンクＢ20の連結もまた、回動自在である。21はステー、22は空転ストッパーである。
【００１６】
上脚部当て板10は連結リンク23を介してベッド枠体１に回動自在に連結される。この連結リンク23は二本のアーム23ａ、23ｂをピン24によりピン止めして回動自在に連結して構成される。この一端を上脚部当て板10の裏面に、他端をベッド枠体１にそれぞれ連結することにより上脚部当て板10は連結リンク23を介してベッド枠体１と連結される。
【００１７】
脚上用アクチュエータ４は先端部分４ａにガイド板25を有し、このガイド板25には長穴26が穿設される。そして、ガイド板25は長穴26に連結リンク23の連結部分、すなわち、ピン24の部分を嵌め込むことにより連結リンク23と連結されるとともに、プルステー27を介してリンクＡ18と連結され、かつ他端４ａがベッド枠体１に回動自在に連結される。
【００１８】
上述の構成からなる本発明にかかるベッドは、操作に際して、まず図２に示されるように、頭上用アクチュエータ３のシリンダ部分を伸長すると、頭上用アクチュエータ３の力がプッシュロッド16を介し、頭部当て板７に対して矢印方向に働き、頭部当て板７を矢印方向に起上する。
【００１９】
さらに、図３に示されるように、頭上用アクチュエータ３を一層伸長すると、頭部当て板７はさらに一層矢印方向に起上するが、空転ストッパー22の働きにより頭部当て板７の起上が特定の位置で停止され、これに代わって、背部当て板８が起上を開始する。このとき、リンクＡ18に連結された連結リンク23がプルステー27を介して矢印方向に引っ張られて、やや起き上がり、この結果、上脚部当て板10と下脚部当て板11の連結部分が矢印方向にやや盛り上がる。
【００２０】
さらに、図４に示されるように、頭上用アクチュエータ３をより一層伸長すると、頭部当て板７と背部当て板８はこれらの間に形成される角度を一定に保ちながら矢印方向にさらに起上し、やがてマットレス上の横臥者（図示せず）は上半身を完全に起上する。このときの頭部当て板７と背部当て板８の位置状態は図６に示される。
【００２１】
また、臀部当て板９はブラケット19を介してリンクＡ18に引っ張られて背部当て板８に隣接する側を引き下げ、かつリンクＢ20の働きにより上脚部当て板９に隣接する側をもち上げ、図６に示されるように実線で描かれた水平位置から破線で描かれた傾斜位置に変化する。
【００２２】
さらに、リンクＡ18に連結された連結リンク23はプルステー27を介し、ピン24が長穴26の末端に達するまで引っ張られて起き上がり、この結果、連結リンクの作動により上脚部当て板10と下脚部当て板11の連結部が図４に示されるように矢印方向に山型に盛り上がる。
【００２３】
同時に、脚上用アクチュエータ４を作動すると、図５に示されるように、先端４ａのガイド板25が伸長し、やがて、連結リンク23のピン24が長穴26の末端に当接して伸長が停止する。このとき、連結リンク23は相当に起き上がり、上脚部当て板10と下脚部当て板11の連結部の矢印方向への盛り上がりを助長する。
【００２４】
これにより、図１におけるマットレス５上の横臥者６は図示しないが、上半身が完全に起上するとともに、臀部当て板９が臀部方向にやや傾斜するため臀部の前方向へのすべりが防止され、かつ、脚部が上脚部当て板10と下脚部当て板11によって形成される連結部の盛り上がりにより上方向に持ち上げられ、心地よくベッド上に起立することができる。
【００２５】
また、上述のアクチュエータ３および４を収縮することにより、上述の操作とは反対に、頭部当て板７および背部当て板８を倒し、かつ、臀部当て板９を水平にもどし、上脚部当て板10と下脚部当て板11によって形成される盛り上がりを水平にして床板２を水平に倒し、起立した横臥者６を図１に示されるようなもとの状態に戻すことができる。
【００２６】
【発明の効果】
上述の本発明は次の効果を奏する。
（１）図２に示されるように、まず、頭部当て板７のみが少し起上するため、マットレス５上の横臥者に起上するという意識を持たせ、不安感を解消させる。
【００２７】
（２）次いで、図３および図４に示されるように、頭部当て板７と背部当て板８の角度を一定に保ちながらこれらをさらに起上して横臥者の上半身を起上する。このとき、臀部当て板９は横臥者の臀部方向に引っ張られながら臀部方向が低くなるように傾斜するから、横臥者は臀部当て板９からずれ落ちることがない。
【００２８】
（３）さらに、上脚部当て板10と下脚部当て板11との連結部がリンクＢ20に引っ張られ、かつ、連結リンク23に押し上げられて盛り上がるから、横臥者は起上の際、ベッド上で脚部を持ち上げることができ、このため、心地よくベッド上に起上できる。
【００２９】
（４）すなわち、ベッド上の横臥者は起上の際に、頭部から順次に、自然体を保ちながら、ゆっくりと起上することができ、従来のようにすべり出し姿勢を立て直そうとする動作は不用となり、このため、横臥者の起き上がるときの負担を軽減して筋肉の浪費や不快感、不安感を取り除く。
【図面の簡単な説明】
【図１】本発明にかかるベッドの一具体例の側面図である。
【図２】図１にかかるベッドの頭上用アクチュエータを作動させて頭部当て板を起上させた状態の側面図である。
【図３】図１にかかるベッドの頭上用アクチュエータをさらに作動させて頭部当て板と背部当て板の両方を起上させ、かつ上脚部当て板と下脚部当て板の連結部をやや山型に盛り上げた状態の側面図である。
【図４】図１にかかるベッドの起上を完了した状態の側面図である。
【図５】図１にかかるベッドの脚上用アクチュエータと頭上用アクチュエータの両方を作動させて起上を完了した状態の側面図である。
【図６】本発明ベッドの機能を表した説明図である。
【図７】従来のベッドの機能を表した説明図である。
【符号の説明】
１  ベッド枠体
２  床板
３  頭上用アクチュエータ
3a  一端
3b  他の一端
４  脚上用アクチュエータ
4a  一端
4b  他の一端
６  横臥者
７  頭部当て板
８  背部当て板
９  臀部当て板
10  上脚部当て板
11  下脚部当て板
16  プッシュロッド
17  アーム
18  リンクＡ
19  ブラケット
20  リンクＢ
21  ステー
22  空転ストッパー
23  連結リンク
23a アーム
23b アーム
24  ピン
25  ガイド板
26  長穴
27  プルステー
【図１】
0003841128.tif 000002
【図２】
0003841128.tif 000003
【図３】
0003841128.tif 000004
【図４】
0003841128.tif 000005
【図５】
0003841128.tif 000006
【図６】
0003841128.tif 000007
【図７】
0003841128.tif 000008